(57)【要約】【課題】  蓋体に取着したスライド板にシート状物を押圧する板ばねを取付け、常にほぼ一定の押圧力でシート状物を押出すようにするとともに、シート状物の上にウェート板を置き、シート状物を平板状に保持してシート状物間の滑りを常に一定にすることにより、シート状物を一枚ずつ確実に送り出せるようにしたシート状物収納容器を提供すること。【解決手段】  シート状物を積重ねて収納したケース本体と、スライド板を摺動自在に取着した蓋体とを備えたシート状物収納容器であって、シート状物の上面に、中央部に切欠溝を設けたウェート板を載せ、前記スライド板は、シート状物の上面に係合する押し板を設けていることを特徴とする。   【選択図】  図１
2005280724.tif 000002
【特許請求の範囲】
【請求項１】
シート状物を積重ねて収納したケース本体と、スライド板を摺動自在に取着した蓋体とを備えたシート状物収納容器であって、
シート状物の上面に、中央部に切欠溝を設けたウェート板を載せ、
前記スライド板は、シート状物の上面に係合する押し板を設けていることを特徴とするシート状物収納容器。   
【請求項２】
ケース本体の側壁が、前端に内方に傾斜する爪板を連設していることを特徴とする請求項１記載のシート状物収納容器。
【請求項３】
ケース本体と、スライド板を摺動自在に取着した蓋体と、シート状物を収納するカートリッジとを備えたシート状物収納容器であって、
カートリッジは、下ケースと、頂壁中央部に切欠溝を設けた蓋ケースとからなり、
下ケースにシート状物を積重ねて収納し、その上面に、中央部に切欠溝を刻設したウェート板を載せ、
前記スライド板は、シート状物の上面に係合する押し板を設けていることを特徴とするシート状物収納容器。   
【請求項４】
カートリッジの下ケースの側壁が、前端に内方に傾斜する爪板を設けていることを特徴とする請求項３記載のシート状物収納容器。
【発明の詳細な説明】
【技術分野】
【０００１】
本発明は、シート状物収納容器に関するものである。
【背景技術】
【０００２】
複数枚のシート状物を積み重ねて収納し、シート物状を一枚ずつ取出すようにしたシート状物収納容器は、従来より知られている（特許文献１参照）。
【特許文献１】実公昭６２−７１９２号公報
【発明の開示】
【発明が解決しようとする課題】
【０００３】
上記特許文献１記載の容器は、シート状物として、紙石鹸を収納したもので、上蓋体（４）の中央部に窓孔（８）を穿孔し、該窓孔（８）に弾性湾曲部（９ａ）と指押部（９ｃ）を具え、弾性変形自在な肉薄平板状のスライド板（９）を取付け、指押部（９ｃ）を押さえて前方に動かすことで、弾性湾曲部（９ａ）を上方に湾曲させ、指押部（９ｃ）の下面に設けた摩擦材（１０）で最上位にある紙石鹸を固定部材から切り離して、抜出孔（３）から押出すようにしている。
【０００４】
しかしながら、上記特許文献１記載の容器では、指先で指押部を押圧して取出し操作をするので、最上位の紙石鹸等のシート状物に常に一定の押圧力がかかるように操作するためには、注意力が必要であった。
押圧力が大きすぎると、二枚のシート状物を押出すことがあり、押圧力が弱いと、シート状物を正常に押出せないというおそれがあった。
【０００５】
また、枚数の多いときには、押圧力がかかりすぎ、２、３枚を一時に引き出すことがあり、枚数が少なくなると、指押部を大きく押下げないと摩擦部材がシート状物に圧接しないことにもなるからシート状物の積重ね枚数を多くすることができず、上下、高さの小さい、薄型の容器にしか利用できなかった。
【０００６】
本発明は、上記の事情を考慮して、蓋体に取着したスライド板にシート状物を押圧する板ばねを取付け、常にほぼ一定の押圧力でシート状物を押出すようにするとともに、シート状物の上にウェート板を置き、シート状物を平板状に保持してシート状物間の滑りを常に一定にすることにより、シート状物を一枚ずつ確実に送り出せるようにしたシート状物収納容器を提供することを目的とする。
【課題を解決するための手段】
【０００７】
本発明は、上記の課題を解決するため、シート状物収納容器として、シート状物を積重ねて収納したケース本体と、スライド板を摺動自在に取着した蓋体とを備えたシート状物収納容器であって、シート状物の上面に、中央部に切欠溝を設けたウェート板を載せ、前記スライド板は、シート状物の上面に係合する押し板を設けていることを特徴とする構成を採用する。   
【０００８】
ケース本体の側壁の実施例として、ケース本体の側壁が、前端に内方に傾斜する爪板を連設していることを特徴とする構成を採用する。
【０００９】
シート状物収納容器の別実施例として、ケース本体と、スライド板を摺動自在に取着した蓋体と、シート状物を収納するカートリッジとを備えたシート状物収納容器であって、カートリッジは、下ケースと、頂壁中央部に切欠溝を設けた蓋ケースとからなり、下ケースにシート状物を積重ねて収納し、その上面に、中央部に切欠溝を刻設したウェート板を載せ、前記スライド板は、シート状物の上面に係合する押し板を設けていることを特徴とする構成を採用する。
【００１０】
カートリッジの下ケースの側壁の実施例として、前端に内方に傾斜する爪板を設けていることを特徴とする構成を採用する。
【発明の効果】
【００１１】
積重ねて収納したシート状物の上面にウェート板を載せ一定の加重をかけるようにしたので、シート状物を平面状に維持するとともに、重ねられた各シート状物の間の接触圧をほぼ等しくすることができ、スライド板の押し板を最上位のシート状物に係合して押圧させるようにしたので、シート状物の積重ね量の多少にかかわらず、常に一枚ずつ確実の送り出すことができるようになった。
【発明を実施するための最良の形態】
【００１２】
次に、本発明のシート状物収納容器ついて、実施例をあげて説明する。
【実施例１】
【００１３】
図１において、Ａはケース本体、Ｂは蓋体、Ｃは蓋体Ｂに摺動自在に取着されたスライド板、Ｄはケース本体Ａ内に嵌挿されたカートリッジ、ＥはカートリッジＤ内に装入されたウェート板である。
ａは、カートリッジＤ内に積重ねて収納された紙石鹸等のシート状物である。
【００１４】
図１〜４に示すように、ケース本体Ａは、底壁１と側周壁２とからなり、底壁１の前側端縁には、傾斜壁３が設けられている。
側周壁２は、側壁４ａ、４ｂと後壁５とからなり、側壁４ａ、４ｂの上部近くには段部６が形成され、その上部は、所定の位置に膨出部７を設けた係合部８となっている。
後壁５には、上面を段部６と面一として、側面を左右の側壁４ａ、４ｂから延びるようにして蝶番用の軸受９ａ、９ｂが設けられ、所定の位置に軸孔１０が穿孔されている。
【００１５】
蓋体Ｂは、頂壁１１と側周壁１２とからなり、頂壁１１には、スライド孔１３が穿設され、スライド孔１３の後方には、スライド板Ｃ保持のための膨出部１４が設けられている。
側周壁１２には、頂壁１１の前縁から前方に傾斜する前壁１５と、頂壁１１の左右の端縁から垂下する側壁１６ａ、１６ｂと、後端縁から後方に傾斜して垂下する後壁１７とからなっている。
【００１６】
側壁１６ａ、１６ｂの内面には、ケース本体Ａの膨出部７に係合する膨出部１８が突設され、頂壁１１の後端縁の中央部からケース本体Ａの軸受９ａ、９ｂの間に垂下する蝶番用取付部１９が設けられ、所定の位置に水平方向に延びる軸孔２０が穿孔されている。
【００１７】
蓋体Ｂの取付部１９の軸孔２０には、ケース本体Ａの軸受９の軸孔１０との間に軸ピン２１が挿通され、蓋体Ｂは、ケース本体Ａに蝶番機構を通じて廻動自在に枢着されている。
【００１８】
ケース本体Ａに蓋体Ｂが被嵌された場合には、ケース本体Ａの傾斜壁３上端と蓋体Ｂの前壁１５下端との間に，シート状物ａの取出し口２２が形成される。
【００１９】
スライド板Ｃは、蓋体Ｂの上面に載置されるスライド操作板２５と、スライド操作板２５の下面に設けられ、スライド孔１３内で前後に摺動可能な四角形のスライド台２６と、スライド台２６の下に装着された下部スライド板２７とからなっている。
【００２０】
スライド操作板２５の表面には、滑り止めのため、横方向に延びる細条、或いは凹凸、その他が設けられている（図示しない）。
スライド台２６の中央には、取付ピン２８が垂設されており、該取付ピン２８には、板ばね２９と、前記下部スライド板２７が装着されている。
【００２１】
板ばね２９は、下側を押し板３０，上側を取付板３１として、くの字形状に形成されており、取付板３１の所定の位置には、取付ピン２８が挿通される取付穴３２が穿孔されている。
板ばね２９として、樹脂ばねを使用し、先端に多数の突起、凹凸を形成させたり、弾性部材を接着するようにしているが、樹脂ばねに換え、金属ばねを用いてもよい。
【００２２】
下部スライド板２７は、スライド孔１３の巾より広巾とした四角形状となっており、両側は、蓋板Ｂの下面に接合する挟持部３３となっている。
下部スライド板２７の中央部には、板ばね２９の取付板３１の載置部３４が刻設され、所定の位置には、取付ピン２８に締着される取付穴３５が穿設されている。
【００２３】
下部スライド板２７は、板ばね２９の取付板３１を載置部３４に載置して、取付ピン２８を取付板３１の取付穴３２に挿通し、下部スライド板２７の取付穴３５を取付ピン２８に締着することによってスライド台２６に嵌着され、スライド板Ｃは、スライド台２６が蓋体Ｂのスライド孔１３内に摺動自在とされて蓋体Ｂに取付けられる。
【００２４】
カートリッジＤは、シート状物ａを収納する下ケース４０と、該下ケース４０を覆う蓋ケース４１とから構成されている。
下ケース４０は、前端角部を面取りした底壁４２と、底壁４２の側端縁から立ち上がる側壁４３ａ、４３ｂと、後端縁から立ち上がる後壁４４とを具備している。
側壁４３ａ、４３ｂの前端には、底壁４２の角部を面取り部分から立ち上がり、内方に傾斜する爪板４５が設けられ、側壁４３ａ、４３ｂの表面には、複数の膨出部４６が突設されている。
【００２５】
蓋ケース４１は、頂壁４７と、頂壁４７の端縁から垂設された側壁４８ａ、４８ｂと、後壁４９と、側壁４８ａ、４８ｂの前端から内方に傾斜する爪板カバー５０とを具備している。
頂壁４７の中央部には、前端から所定の長さを有する切欠溝５１が刻設され、切欠溝５１の後方には、取付ピン５２が垂設されている。
取付ピン５２には、上下に屈曲部を有し、上側を取付板５３、下側を押さえ部５４とした板ばね５５が嵌着されている。
【００２６】
側壁４８ａ、４８ｂの内周面には、下ケース４０の側周壁４３の膨出部４６に係合する膨出部５６が突設されている。
【００２７】
ウェート板Ｅは、合成樹脂で成形され、下ケース４０内に収納されるように角形状としており、中央部に切欠溝５７が刻設されている。
【００２８】
次に、シート状物収納容器の組立について説明する。
まず、カートリッジＤについては、カートリッジＤの下ケース４０に積重ねたシート状物ａを収納し、その上からウェート板Ｅが載置される。
次いで、蓋ケース４１を下ケース４０に被せると、蓋ケース４１内面の膨出部５６が下ケース４０の側壁４３の膨出部４６に係合して両者は嵌着される。
そして、蓋ケース４１に嵌着した板ばね５５の押さえ部５４によってウェート板Ｅが押圧され、シート状物ａを収納したカートリッジＤを得ることができる。
【００２９】
シート状物ａを収納したカートリッジＤをケース本体Ａに入れ、次いで、スライド板Ｃを取付けた蓋体Ｂを、蝶番を介して廻動し、ケース本体Ａに被着すると、蓋体Ｂの側壁１６ａ、１６ｂの内面の膨出部１８とケース本体Ａ係合部８の膨出部７とが係合して、ケース本体Ａと蓋体Ｂとがしっかりと嵌着される。
そして、板ばね２９の押し板３０は、カートリッジＤの蓋ケース４１の切欠溝５１とウェート板Ｅの切欠溝５７を通じて、シート状物ａの最上面を押圧する。  
【００３０】
次に、本シート状物収納容器の作用効果について説明する。
容器の使用にあたって、スライド板Ｃを前方に滑動させると、図５に示すように、板ばね２９によって、最上位のシート状物ａ１が送り出される。
【００３１】
その際、シート状物ａは、ウェート板Ｅによって常に平面状に維持され、一定の加重を受けているので、上下のシート状物ａ同士は面と面とが一定の接触圧で接触することになり、上下のシート状物ａの上方の紙葉を移動させる力は一定となる。
そして、板ばね２９の押し板３０は、スライド板Ｃを滑動させることによって移動させるものであるから、シート状物ａ上面には押し板３０の弾撥力がかかり、常に一定範囲の押圧力と前方への押出し力が働くことになる。  
【００３２】
また、複数枚のシート状物ａが前方に重なって移動するようなことがあっても、移動してきたシート状物ａは爪板４５に阻止され、最上位のシート状物ａ１のみが押し板３０によって押出される。
したがって、ウェート板Ｅの加重と、押し板３０と爪板４５の作用により、最上位のシート状物ａ１のみを確実に送り出すことができる。
【００３３】
また、カートリッジ式であるから、ケース本体Ａと、シート状物ａを収納したカートリッジＤとを別々に製造し、シート状物ａがなくなったときには、カートリッジＤを取り換えられ、資源の削減に役立てることができる。
【実施例２】
【００３４】
次に、シート状物を直接ケース本体に収納した第２実施例について説明する。
本実施例は、第１実施例におけるカートリッジを使用しないようにしたもので、第１実施例と同様の構成については、同一の符号に添字ａを付して図示し、詳しい説明を省略し、相違点を中心に説明する。
【００３５】
図６において、Ａａはケース本体、Ｂａは蓋体、Ｃａは蓋体Ｂａに摺動自在に取着されたスライド板、Ｅａはウェート板、ａはシート状物である。
【００３６】
図６〜８に示すように、ケース本体Ａａは、底壁１ａと側周壁２ａとからなり、前記第１実施例と同様に、側周壁２ａは、側壁４ａａ、４ｂａと後壁５ａとを具えている。
側壁４ａａ、４ｂａの前端上部近くには、内側に傾斜して延びる爪壁６０が連設されている。
【００３７】
蓋体Ｂａは、前記第１実施例と同様に、蝶番機構によってケース本体Ａａに廻動自在に枢着されており、蓋板Ｂａの頂壁１１ａのスライド孔１３ａには、前記第１実施例と同様に、下面にスライド台２６ａを設けたスライド操作板２５ａと、下側を押し板３０ａとした板ばね２９ａと下部スライド板２７ａとからなるスライド板Ｃａが装着されている。
【００３８】
ウェート板Ｅａは、前記第１実施例と同形状の切欠溝６１を刻設しているが、板ばねで押さえないのでその分だけ重量を大きくしてもよい。
また、蓋体Ｂａとウェート板Ｅａとの間にばねを配設して、ウェート板Ｅａを下方に押圧するようにしてもよい。
【００３９】
次に、本実施例の作用効果について説明する。
本実施例においては、シート状物ａを積重ねてケース本体Ａａ内に収納し、その上にウェート板Ｅａを載せ、スライド板Ｃａを取着した蓋体Ｂａを蝶番機構を介して廻動させ、ケース本体Ａａに被着すると、スライド板Ｃａの板ばね２９ａの押し板３０ａがシート状物ａの最上面に係合し、スライド板Ｃａを滑動させることによって、図９に示すように、第１実施例と同様に最上位のシート状物ａ１のみを確実に送り出すことができる。
【００４０】
前記各実施例では、ケース本体と蓋体とを蝶番を介して取着するようにしたが、ケース本体と蓋体のそれぞれの側周壁に、相手方の嵌合部と係合する嵌合部を設けて、ケース本体と蓋体とを嵌着させるようにしてもよい。
【産業上の利用可能性】
【００４１】
シート状物をウェート板で押さえてケース内に収納し、蓋体のスライド板の押し板によって前方に押出すようにしたから、シート状物を最後まで一枚ずつ確実に送り出すことができる。
そして、本発明のシート状物収納容器の構成は、紙石鹸、その他の各種のシート状物品の携帯用小型容器にも適用することができる。
【図面の簡単な説明】
【００４２】
【図１】本発明第１実施例のシート状物収納容器の縦断面側面図である。
【図２】蓋体の半面を除外したときの上面図である。
【図３】シート状物収納容器の分解斜視図である。
【図４】蓋体とスライド板の底面の斜視図である。
【図５】シート状物の取出し時の説明図である。
【図６】第２実施例のシート状物収納容器の縦断面側面図である。
【図７】蓋体の半面を除外したときの上面図である。
【図８】シート状物収納容器の分解斜視図である。
【図９】シート状物の取出し時の説明図である。
【符号の説明】
【００４３】
Ａ、Ａａ    ケース本体
Ｂ、Ｂａ    蓋体
Ｃ、Ｃａ    スライド板
Ｄ          カートリッジ
Ｅ、Ｅａ    ウェート板
ａ          シート状物
１、１ａ    底壁
２、２ａ    側周壁
３          傾斜壁
４ａ，ｂ、４ａａ，４ｂａ  側壁
５、５ａ    後壁
１１、１１ａ  頂壁
１２          側周壁
１３、１３ａ  スイラド孔
１５          前壁
１６ａ，ｂ    側壁
１７          後壁
２２          取出し口
２５          スライド操作板
２６          スライド台
２７          下部スライド板
２９          板ばね
３０          押し板
３１          取付板
３３          挟持部
３４          載置部
３５          取付穴
４０          下ケース
４１          蓋ケース
４２          底壁
４３ａ，ｂ    側壁
４４          後壁
４５          爪板
４７          頂壁
４８ａ，ｂ    側壁
４９          後壁
５０          爪板カバー
５１          切欠溝
５３          取付板
５４          押さえ部
５５          板ばね
５７          切欠溝
６０          爪壁
６１          切欠部
【図１】
2005280724.tif 000003
【図２】
2005280724.tif 000004
【図３】
2005280724.tif 000005
【図４】
2005280724.tif 000006
【図５】
2005280724.tif 000007
【図６】
2005280724.tif 000008
【図７】
2005280724.tif 000009
【図８】
2005280724.tif 000010
【図９】
2005280724.tif 000011